(57)【要約】【課題】端子の放熱性を向上させる。【解決手段】本明細書によって開示されるコネクタ１０は、端子３０と、端子３０が内部に収容されたハウジング２０とを備えたコネクタ１０であって、端子３０は、端子接続部３１と、電線接続部３２と、端子接続部３１と電線接続部３２をつなぐつなぎ部３３と、つなぎ部３３の側縁に設けられハウジング２０に弾性的に接触することでつなぎ部３３からハウジング２０に熱を伝える放熱部３４とを備えて構成されている。このようにすると、つなぎ部３３がハウジング２０に常時接触しているため、端子接続部３１で発生した熱をつなぎ部３３と放熱部３４を介してハウジング２０に放熱することができる。したがって、端子３０の表面から空気層へ放熱するだけの場合に比べて、放熱性を向上させることができ、端子３０を構成する金属板材の板厚を薄くすることができる。【選択図】図１
2018041547.tif 000002
【特許請求の範囲】
【請求項１】
端子と、前記端子が内部に収容されたハウジングとを備えたコネクタであって、
前記端子は、端子接続部と、電線接続部と、前記端子接続部と前記電線接続部をつなぐつなぎ部と、前記つなぎ部の側縁に設けられ前記ハウジングに弾性的に接触することで前記つなぎ部から前記ハウジングに熱を伝える放熱部とを備えて構成されているコネクタ。
【請求項２】
前記放熱部は、前記つなぎ部の両側縁に一対設けられている請求項１に記載のコネクタ。
【請求項３】
前記放熱部は、前記つなぎ部の側縁に連なる連結片と、前記連結片から折り返し状に設けられている弾性片とを備えて構成されている請求項１または請求項２に記載のコネクタ。
【発明の詳細な説明】
【技術分野】
【０００１】
本明細書によって開示される技術は、コネクタに関する。
【背景技術】
【０００２】
従来、筒状に構成された筒部を有する雌端子として、例えば特開２０１５−２１９９７７号公報（下記特許文献１）に記載のものが知られている。この雌端子は、筒部の前縁から内部に折り返されて後方に延出された弾性片を有している。雄端子を筒部に嵌合させると、弾性片が雄端子に弾性的に接触することで雄端子と雌端子が導通可能に接続される。
【先行技術文献】
【特許文献】
【０００３】
【特許文献１】特開２０１５−２１９９７７号公報
【発明の概要】
【発明が解決しようとする課題】
【０００４】
上記の雌端子は、コネクタを構成する樹脂製のフローティングハウジングの内部に収容されており、フローティングハウジングの内部には、雌端子を収容するキャビティが設けられている。キャビティの内壁には、片持ち状をなすランスが設けられており、ランスは、筒部の後端に後方から係止するようになっている。筒部とキャビティの内壁との間には、雌端子をキャビティに挿入するための所定のクリアランスが設定されている。また、ランスと筒部の後端との間にも、所定のクリアランスが設定されている。このように、雌端子の筒部は、キャビティの内壁に常時接触しているわけではなく、雄端子と弾性片の間で発生した熱は、主として雄端子の表面もしくは雌端子の表面から空気層へ放熱されることになる。ところで、雌端子を構成する金属板材の板厚を薄くしようとすると、内部抵抗の上昇に伴い発熱量が増加するため、空気層への放熱だけでは十分でないおそれがある。
【課題を解決するための手段】
【０００５】
本明細書によって開示されるコネクタは、端子と、前記端子が内部に収容されたハウジングとを備えたコネクタであって、前記端子は、端子接続部と、電線接続部と、前記端子接続部と前記電線接続部をつなぐつなぎ部と、前記つなぎ部の側縁に設けられ前記ハウジングに弾性的に接触することで前記つなぎ部から前記ハウジングに熱を伝える放熱部とを備えて構成されている。
【０００６】
このようにすると、つなぎ部がハウジングに常時接触しているため、端子接続部で発生した熱をつなぎ部と放熱部を介してハウジングに放熱することができる。したがって、端子の表面から空気層へ放熱するだけの場合に比べて、放熱性を向上させることができ、端子を構成する金属板材の板厚を薄くすることができる。
【０００７】
本明細書によって開示されるコネクタは、以下の構成としてもよい。
前記放熱部は、前記つなぎ部の両側縁に一対設けられている構成としてもよい。
このような構成によると、一対の放熱部によって放熱を行うことができる。
【０００８】
前記放熱部は、前記つなぎ部の側縁に連なる連結片と、前記連結片から折り返し状に設けられている弾性片とを備えて構成されているものとしてもよい。
このようにすると、弾性片を弾性変形させることでハウジングとの接触面積を増やすことができ、放熱効果をさらに向上させることができる。
【発明の効果】
【０００９】
本明細書によって開示されるコネクタによれば、端子の放熱性を向上させることができる。
【図面の簡単な説明】
【００１０】
【図１】コネクタの斜視図
【図２】コネクタの平面図
【図３】コネクタの側面図
【図４】図２におけるＡ−Ａ線断面図
【図５】図３におけるＢ−Ｂ線断面図
【図６】コネクタの背面図
【図７】コネクタの正面図
【図８】端子の斜視図
【図９】端子の平面図
【図１０】図９におけるＣ−Ｃ線断面図
【図１１】端子の正面図
【発明を実施するための形態】
【００１１】
＜実施形態＞
実施形態を図１から図１１の図面を参照しながら説明する。本実施形態のコネクタ１０は、図１に示すように、合成樹脂製のハウジング２０と、導電性の金属からなる端子３０とを備えて構成されている。コネクタ１０は雌コネクタであって、図示しない雄コネクタが嵌合可能とされている。
【００１２】
ハウジング２０は、全体として前後方向に長い略筒状をなし、前後方向に貫通する形態をなすキャビティ２１を有している。キャビティ２１に端子３０が後方から収容されている。ハウジング２０は、第１端子収容部２２と、第１端子収容部２２の後方に配されて第１端子収容部２２よりも幅広の第２端子収容部２３とを備えて構成されている。図７に示すように、第１端子収容部２２の前壁には、図示しない雄端子が挿通される端子挿通孔２４が開口して設けられている。図５に示すように、第１端子収容部２２の後端部と第２端子収容部２３の前端部とは段差部２５を介して連結されている。図７に示すように、段差部２５は、第１端子収容部２２の後端部から側方に張り出す形態をなしている。
【００１３】
端子３０は、図８に示すように、端子接続部３１と、電線接続部３２と、端子接続部３１と電線接続部３２とをつなぐつなぎ部３３と、つなぎ部３３の両側縁に設けられた一対の放熱部３４とを備えて構成されている。本実施形態では、端子接続部３１と電線接続部３２とつなぎ部３３とに共通の底壁３５が設けられている。また、電線接続部３２には、図示しない電線の芯線が溶着等によって接続されるものとされている。
【００１４】
端子接続部３１は、全体として前後方向に延びる角筒状をなし、図示しない雄端子が前方から嵌合可能とされている。端子接続部３１は、図１１に示すように、底壁３５と、底壁３５の両側縁から上方に突出する一対の側壁３６と、一方の側壁３６の上縁から他方の側壁３６の上縁に延びる天井壁３７と、他方の側壁３６の上縁から天井壁３７の延出端部における上面に沿って配された開き防止壁３８とを備えて構成されている。
【００１５】
図８に示すように、天井壁３７の後縁には、複数の接触片３９が設けられている。接触片３９は、天井壁３７の後縁から端子接続部３１の内部に向けて折り返され、前方に延出された形態をなしている。各接触片３９は、平行に並んで配されている。図１０に示すように、接触片３９は略Ｖ字状をなし、接触片３９の下端部には接点４０が設けられている。また、天井壁３７には、接触片３９の過度撓みを防止する過度撓み防止壁４１が底壁３５側に突出する形態で設けられている。過度撓み防止壁４１は、接触片３９に面接触可能とされている。
【００１６】
図１０に示すように、天井壁３７の前縁には、進入防止壁４２が設けられている。進入防止壁４２は、天井壁３７の前縁から下方に延出されており、進入防止壁４２の下端は、接触片３９の先端の前方に位置している。これにより、図示しない雄端子が接触片３９と天井壁３７の間に侵入することを進入防止壁４２によって防止できるようになっている。
【００１７】
図８に示すように、放熱部３４は、つなぎ部３３の側縁から上方に突出する形態で連なる連結片４３と、連結片４３の後縁から前方に向けて折り返し状に設けられている弾性片４４とを備えて構成されている。一対の弾性片４４は、いずれも外側に配されている。図９に示すように、弾性片４４の前端は、前後方向において連結片４３の前縁と揃う位置に配されている。
【００１８】
図５に示すように、一対の弾性片４４は、ハウジング２０の第２端子収容部２３の両側面２３Ａに弾性的に接触している。すなわち、ハウジング２０のキャビティ２１に収容する前の端子３０における一対の弾性片４４間の寸法は、第２端子収容部２３の両側面２３Ａ間の寸法よりも大きめとされている。また、一対の弾性片４４は、第２端子収容部２３の両側面２３Ａに対して面接触することにより接触面積ができるだけ大きくなるように構成されている。これにより、接点４０で発生した熱を、接触片３９と天井壁３７と両側壁３６と底壁３５とを介して放熱部３４に伝えられ、放熱部３４からハウジング２０に伝えられる。このように、端子３０から放熱部３４を介してハウジング２０に放熱することができる。さらに、放熱部３４の弾性片４４が第２端子収容部２３の側面２３Ａに面接触しているから、さらに効率よく放熱することができる。
【００１９】
なお、端子３０をキャビティ２１に挿入すると、連結片４３の前縁が段差部２５に後方から当接することで端子３０の前止まりが行われるようになっている。このとき、端子接続部３１の前端は、第１端子収容部２２の前壁に接触しないものとされている。
【００２０】
以上のように本実施形態では、つなぎ部３３がハウジング２０に常時接触しているため、端子接続部３１で発生した熱をつなぎ部３３と放熱部３４を介してハウジング２０に放熱することができる。したがって、端子３０の表面から空気層へ放熱するだけの場合に比べて、放熱性を向上させることができ、端子３０を構成する金属板材の板厚を薄くすることができる。
【００２１】
放熱部３４は、つなぎ部３３の両側縁に一対設けられている構成としてもよい。
このような構成によると、一対の放熱部３４によって放熱を行うことができる。
【００２２】
放熱部３４は、つなぎ部３３の側縁に連なる連結片４３と、連結片４３から折り返し状に設けられている弾性片４４とを備えて構成されているものとしてもよい。
このようにすると、弾性片４４を弾性変形させることでハウジング２０との接触面積を増やすことができ、放熱効果をさらに向上させることができる。
【００２３】
＜他の実施形態＞
本明細書によって開示される技術は上記記述及び図面によって説明した実施形態に限定されるものではなく、例えば次のような種々の態様も含まれる。
（１）上記実施形態では一対の放熱部３４が設けられた端子３０を例示しているものの、放熱部３４を一つだけ設けてもよい。
【００２４】
（２）上記実施形態では連結片４３と弾性片４４からなる放熱部３４を例示しているものの、つなぎ部３３の側縁に弾性片を直接設けてもよい。
【００２５】
（３）上記実施形態では弾性片４４を第２端子収容部２３の側面２３Ａに接触させているものの、弾性片を第２端子収容部２３の底面もしくは天井面に接触させてもよい。
【符号の説明】
【００２６】
１０…コネクタ
２０…ハウジング
３０…端子
３１…端子接続部
３２…電線接続部
３３…つなぎ部
３４…放熱部
４２…連結片
４４…弾性片
【図１】
2018041547.tif 000003
【図２】
2018041547.tif 000004
【図３】
2018041547.tif 000005
【図４】
2018041547.tif 000006
【図５】
2018041547.tif 000007
【図６】
2018041547.tif 000008
【図７】
2018041547.tif 000009
【図８】
2018041547.tif 000010
【図９】
2018041547.tif 000011
【図１０】
2018041547.tif 000012
【図１１】
2018041547.tif 000013